(57)【要約】      （修正有）【課題】踵部を立体的に編成するための難しい技術が一切不要で、初心者でも簡単に靴下を編成することができる靴下の編成方法及び靴下を提供する。【解決手段】足甲部５を、レッグ部側に位置する第一足甲部５１と、爪先部７側に位置し足裏部６と長さの等しい第二足甲部５２の２つの領域から編成するとともに、踵部４を、レッグ部から足裏部６に向かう方向に沿ってその全域に亘って一定の目数で第一足甲部５１よりも長く編成し、第一足甲部５１と踵部４の始端同士、及び、第一足甲部５１と踵部４の終端同士がそれぞれ合致するよう第一足甲部５１の縁に踵部４の縁を段飛ばしに接ぎ合わせる踵部構成工程を含む。【選択図】図１
2014055390.tif 000002
【特許請求の範囲】
【請求項１】
履き口部、レッグ部、踵部、足甲部、足裏部、及び爪先部から構成された靴下の編成方法であって、
前記足甲部を、前記レッグ部側に位置する第一足甲部と、前記爪先部側に位置し前記足裏部と長さの等しい第二足甲部の２つの領域から編成するとともに、前記踵部を、前記レッグ部から前記足裏部に向かう方向に沿ってその全域に亘って一定の目数で第一足甲部よりも長く編成し、
前記第一足甲部と前記踵部の始端同士、及び、前記第一足甲部と前記踵部の終端同士がそれぞれ合致するよう前記第一足甲部の縁に前記踵部の縁を段飛ばしに接ぎ合わせる踵部構成工程を含むことを特徴とする靴下の編成方法。
【請求項２】
請求項１に記載の靴下の編成方法であって、
前記履き口部の前面側と、前記レッグ部の前面側と、前記第一足甲部と、前記第二足甲部と、前記爪先部の上半側とを一連に編むことにより前側平編み地を編成する一方、
前記履き口部の後面側と、前記レッグ部の後面側と、前記踵部と、前記足裏部と、前記爪先部の下半側とを一連に編むことにより後側平編み地を編成しておき、
前記前側平編み地と後側平編み地の全周縁を、前記履き口部において履き口となる縁を除いて、接ぎ合わせる際に前記踵部構成工程を行うことを特徴とする靴下の編成方法。
【請求項３】
請求項１に記載の靴下の編成方法であって、
前記履き口部と、前記レッグ部と、前記第二足甲部から前記足裏部に亘る部分の３つの部位を輪編みで編成することを特徴とする靴下の編成方法。
【請求項４】
請求項１から３までのいずれか一つに記載の靴下の編成方法であって、
少なくとも前記踵部をガーター編みによって編成することを特徴とする靴下の編成方法。
【請求項５】
履き口部、レッグ部、踵部、足甲部、足裏部、及び爪先部から構成された靴下であって、
前記足甲部が、前記レッグ部側に位置する第一足甲部と、前記爪先部側に位置し前記足裏部と長さの等しい第二足甲部の２つの領域から編成されるとともに、前記踵部が、前記レッグ部から前記足裏部に向かう方向に沿ってその全域に亘って一定の目数で第一足甲部よりも長く編成され、
前記第一足甲部と前記踵部の始端同士、及び、前記第一足甲部と前記踵部の終端同士がそれぞれ合致するよう前記第一足甲部の縁に前記踵部の縁が段飛ばしに接ぎ合わされてなることを特徴とする靴下。
【請求項６】
請求項５に記載の靴下であって、
前記履き口部の前面側と、前記レッグ部の前面側と、前記第一足甲部と、前記第二足甲部と、前記爪先部の上半側とが一連に編まれてなる前側平編み地と、
前記履き口部の後面側と、前記レッグ部の後面側と、前記踵部と、前記足裏部と、前記爪先部の下半側とが一連に編まれてなる後側平編み地とが、
前記履き口部において履き口となる縁を除いて、相互の全周縁において接ぎ合わされる際に、前記第一足甲部と前記踵部の始端同士、及び、前記第一足甲部と前記踵部の終端同士がそれぞれ合致するよう前記第一足甲部の縁に前記踵部の縁が段飛ばしに接ぎ合わされてなることを特徴とする靴下。
【請求項７】
請求項５に記載の靴下であって、
前記履き口部と、前記レッグ部と、前記第二足甲部から前記足裏部に亘る部分の３つの部位が輪編みで編成されてなることを特徴とする靴下。
【請求項８】
請求項５から７までのいずれか一つに記載の靴下であって、
少なくとも前記踵部はガーター編みによって編成されていることを特徴とする靴下。
【発明の詳細な説明】
【技術分野】
【０００１】
本発明は、靴下の編成方法及び靴下に関する。
【背景技術】
【０００２】
毛糸の靴下を編む方法としては、例えば、図３に示す編み図（但し、図示例は概略図）に従った編成方法が従来周知である。すなわち、輪編みで履き口部Ａからメリヤス編みにより爪先部Ｆに向かって編み始め、レッグ部Ｂはメリヤス編み又は模様編みで編んでいく。踵部Ｃの始端に達したら、輪編みを二等分し、足甲部Ｄ側の目Ｂ１を休ませる一方、残りの側の踵部Ｃ側をメリヤス編みで往復編みにより編み進む。その際、踵部Ｃを踵に沿う立体的な湾曲面に形成するため、踵部Ｃの途中までの区間Ｃ１で減らし目を行い、その後の区間Ｃ２で増し目を行う。このようにして踵部Ｃを完成させたら、休ませておいた目のところから再び輪にして足底部Ｅと足甲部Ｄを編む。爪先部Ｆに達したら減らし目を行いながら輪編みをし、最後に休み目Ｆ１をメリヤス接ぎして靴下（図４参照）を完成する（例えば、非特許文献１参照）。
【０００３】
また、その他の編成方法として、レッグ部と、足甲部及び足裏部とをそれぞれ輪編みとしてゴム編みにより編み、踵部の少なくとも一部を袋編みで編む方法（例えば、特許文献１参照）や、踵部を、立体形状を編むのに適した引き返し編みで編む方法がある。
【先行技術文献】
【特許文献】
【０００４】
【非特許文献１】「手編みのくつした」、レディブティックシリーズ通巻３３２１号、ブティック社、２０１１年１１月３０日、ｐ．３３−６７
【特許文献１】登録実用新案第３１５９３９８号公報
【発明の概要】
【発明が解決しようとする課題】
【０００５】
しかしながら、上記非特許文献１に開示されているような従来周知の編成方法にあっては、靴下全体を輪編みにより編成していくうえ、特に、踵部の編成時に減らし目と増し目を行う必要があるため、極めて煩瑣であり、初心者でも簡単に行えるとは到底云えるようなものでなかった。この点、上記特許文献１に開示されている編成方法では、前者の方法に比べて簡単に靴下を編むことができるものの、踵部の編成に袋編みを採用しているため、やはり初心者にとって簡単ではなかった。また、引き返し編みは、踵部を好ましい立体形状に編成し得るものではあるが、難度の極めて高い編み方であるため、これもまた初心者にとって簡単ではなかった。
【０００６】
本発明は、係る点に鑑みて創案されたものであり、その目的とするところは、踵に沿った立体形状を呈する踵部を備えた靴下を熟練度に拘らず誰もが簡単に編成することのできる靴下の編成方法及びその方法により編成された靴下を提供しようとするものである。
【課題を解決するための手段】
【０００７】
上記した目的を達成するため、本発明に係る靴下の編成方法は、履き口部、レッグ部、踵部、足甲部、足裏部、及び爪先部から構成された靴下の編成方法を前提としている。そのうえで、前記足甲部を、前記レッグ部側に位置する第一足甲部と、前記爪先部側に位置し前記足裏部と長さの等しい第二足甲部の２つの領域から編成するとともに、前記踵部を、前記レッグ部から前記足裏部に向かう方向に沿ってその全域に亘って一定の目数で第一足甲部よりも長く編成し、前記第一足甲部と前記踵部の始端同士、及び、前記第一足甲部と前記踵部の終端同士がそれぞれ合致するよう前記第一足甲部の縁に前記踵部の縁を段飛ばしに接ぎ合わせる踵部構成工程を含むことを特徴とするものである。
【０００８】
また、本発明に係る靴下は、履き口部、レッグ部、踵部、足甲部、足裏部、及び爪先部から構成された靴下を前提としている。そのうえで、前記足甲部が、前記レッグ部側に位置する第一足甲部と、前記爪先部側に位置し前記足裏部と長さの等しい第二足甲部の２つの領域から編成されるとともに、前記踵部が第一足甲部よりも長く編成され、前記第一足甲部と前記踵部の始端同士、及び、前記第一足甲部と前記踵部の終端同士がそれぞれ合致するよう前記第一足甲部の縁に前記踵部の縁が段飛ばしに接ぎ合わされてなることを特徴とするものである。
【０００９】
このような特定事項により、踵部を直線的に一定方向に編むだけであるにも拘らず、踵に沿った立体形状を呈する踵部を備えた靴下を誰もが簡単に編成することができる。すなわち、減らし目や増し目を行わずとも、また、袋編みや引き返し編みといった難度の高い編み方をせずとも、踵に沿った立体形状を呈する踵部を備えた靴下を編成することができることとなる。
【００１０】
また、上記において前記履き口部の前面側と、前記レッグ部の前面側と、前記第一足甲部と、前記第二足甲部と、前記爪先部の上半側とを一連に編むことにより前側平編み地を編成する一方、前記履き口部の後面側と、前記レッグ部の後面側と、前記踵部と、前記足裏部と、前記爪先部の下半側とを一連に編むことにより後側平編み地を編成しておき、前記前側平編み地と後側平編み地の全周縁を、前記履き口部において履き口となる縁を除いて、接ぎ合わせる際に前記踵部構成工程を行ってもよい。
【００１１】
この場合、前側平編み地と後側平編み地とを別個に編成しておいてから、これらを接ぎ合わせるだけであり、しかも前記両編み地はいずれも単純な平編みで編成することができるため、従来必要とされていた輪編みの技術及び踵部を立体的に編成するための技術が一切不要となる。したがって、初心者でも簡単に一定品質の靴下を編成することができる。
【００１２】
また、上記において、前記履き口部と、前記レッグ部と、前記第二足甲部から前記足裏部に亘る部分の３つの部位を輪編みで編成してもよい。
【００１３】
この場合、平編みよりも輪編みに手馴れた技術者にとっては、迅速に編成することができる。
【００１４】
さらに、上記において、少なくとも前記踵部をガーター編みによって編成してもよい。
【００１５】
この場合、ガーター編みは、極めて簡単な編み方でありながら、踵部に必要な伸縮性を得ることができ、踵部を立体的に構成することができる。
【発明の効果】
【００１６】
本発明によれば、踵部を立体的に編成するための前記したような難しい技術が一切不要となるので、初心者でも簡単に靴下を編成することができる。
【図面の簡単な説明】
【００１７】
【図１】本発明に係る靴下の編成方法の一実施形態を示す編み図であり、（ａ）は、前側平編み地の編み図、（ｂ）は、後側平編み地の編み図である。
【図２】図１に示す編み図に基づいて編成された靴下を示す概略斜視図である。
【図３】従来の靴下の編成方法の一例を示す編み図である。
【図４】図３に示す編み図に基づいて編成された従来の靴下を示す概略斜視図である。
【発明を実施するための形態】
【００１８】
以下、本発明に係る靴下の編成方法の一実施形態について、図面を参照して説明する。
【００１９】
図１は、靴下の編成方法を示す編み図、図２は、その編み図に基づいて編成された靴下を示す概略斜視図である。なお、図１において、破線は中間省略を意味する。
【００２０】
この靴下１の編成方法は、図２に示すように、履き口部２、レッグ部３、踵部４、足甲部５、足裏部６、及び爪先部７から構成された靴下１の編成方法である。この編成方法の特徴は、足甲部５を、レッグ部３側に位置する第一足甲部５１と、爪先部７側に位置し足裏部６と長さの等しい第二足甲部５２の２つの領域から編成するとともに、踵部４を、レッグ部３から足裏部６に向かう方向に沿ってその全域に亘って一定の目数で第一足甲部５１よりも長く編成し、第一足甲部５１と踵部４の始端同士（５Ｓ１と４Ｓ１、５Ｓ２と４Ｓ２）、及び、第一足甲部５１と踵部４の終端同士（５Ｅ１と４Ｅ１、５Ｅ２と４Ｅ２）がそれぞれ合致するよう第一足甲部５１の縁に踵部４の縁を段飛ばしに接ぎ合わせる踵部構成工程を含むことにある。また、本実施形態は、請求項２に係る発明に対応するものであり、ここで開示する編成方法の特徴は、２枚の平編み地、つまり装着者の足の前側に対応する前側平編み地８と、後側に対応する後側平編み地９とを個々に編成しておいてから、これらを接ぎ合わせる点にある。ここで、「前側」とは、装着者の足首の前面から足甲を経て足指の上面に至る領域をいう。また、「後側」とは、装着者の足首の後側から踵及び足裏を経て足指の下面に至る領域をいう。以下、詳述する。
【００２１】
まず、前側平編み地８を編成する。すなわち、図１（ａ）に示すように、履き口部２の前面側２Ｆと、レッグ部３の前面側３Ｆと、足甲部５と、爪先部７の上半側７Ｕとを、この順に一連に編む。それらのうち、足甲部５は、後側平編み地９の踵部４に対応する第一足甲部５１と、後側平編み地９の足裏部６に対応する第二足甲部５２とを含むものである。この前側平編み地８の編み方としては、その全域をメリヤス編み、模様編みなどどのような編み方で編んでもよいが、例えば、レッグ部３の前面側３Ｆをゴム編みと模様編みで編むなど、各領域毎に異なる編み方で編んでもよい。爪先部７の上半側７Ｕは、先端（爪先）に向かうに従って減らし目とし、最終端７Ｅを伏せ目とする。
【００２２】
前側平編み地８の編成が完了したら、次に後側平編み地９を編成する。すなわち、図１（ｂ）に示すように、履き口部２の後面側２Ｂと、レッグ部３の後面側３Ｂと、踵部４と、足裏部６と、爪先部７の下半側７Ｂとを、この順に一連に編む。この後側平編み地９の編み方としては、その全域をメリヤス編みで編んでもよいが、特に、踵部４はガーター編みで編むのが好ましい。ガーター編みは、極めて簡単な編み方でありながら、踵部４に必要な伸縮性を得ることができ、踵部４を立体的に構成することができる。また、他の領域においても、例えば、レッグ部３の後面側３Ｂをゴム編みと模様編みで編むなど、各領域毎に異なる編み方で編んでもよい。爪先部７の下半側７Ｂは、先端（爪先）に向かうに従って減らし目とし、最終端７Ｅを伏せ目とする。
【００２３】
以上のようにして別個に編成された前側平編み地８と後側平編み地９とは、図１に示すように、幅寸法は同じで、長さ寸法は後側平編み地９の方が前側平編み地８よりも長いものとなっている。これは、踵部４を立体的に形成するためであり、後側平編み地９の踵部４の長さを、この踵部４に対応する前側平編み地８の第一足甲部５１の長さより僅かに長く設定していることによる。踵部４と第一足甲部５１の長さの差を増減することで、踵部４の形状を適宜調整することができる。
【００２４】
編成方法の最終工程として、前側平編み地８と後側平編み地９の全周縁を、履き口部２において履き口となる縁（図１において下端縁）を除いて、例えば、すくいとじによって接ぎ合わせ、これにより図２に示すような靴下１が完成する。ここで、前側平編み地８と後側平編み地９との接ぎ合わせは、前側平編み地８の第一足甲部５１と後側平編み地９の踵部４の始端同士（５Ｓ１と４Ｓ１、５Ｓ２と４Ｓ２）、また、前側平編み地８の第一足甲部５と後側平編み地９の踵部４の終端同士（５Ｅ１と４Ｅ１、５Ｅ２と４Ｅ２）がそれぞれ合致するよう第一足甲部５１の縁に踵部４の縁を段飛ばしに接ぎ合わせる。このようにすることで、踵部４が丸みを帯びた立体形状を呈するように形成される。
【００２５】
次に、上記した靴下の編成方法の一具体例について説明する。
【００２６】
ここでは、装着者の足首周りが２１ｃｍ、足裏の長さが２３ｃｍである場合の靴下１を例に挙げている。
【００２７】
前側平編み地８の幅寸法（図１において左右方向）は１０．５ｃｍとされ、目数は２２目とされる。また、長さ寸法（図１において上下方向）は３７．５ｃｍとされ、各領域の長さ寸法（ｃｍ）と段数（段）については次の通りとされる。
【００２８】
履き口部２：２ｃｍ、６段
レッグ部３の前面側３Ｆ：１４．５ｃｍ、４０段
第一足甲部５：５ｃｍ、１４段
第二足甲部５：１２ｃｍ、３４段
爪先部７の上半側７Ｕ：４ｃｍ、１２段
一方、後側平編み地９の幅寸法は上記前側平編み地８と同様に１０．５ｃｍとされ、目数は２２目とされる。また、長さ寸法は、前側平編み地８より３ｃｍ長い４０．５ｃｍとされ、各領域の長さ寸法（ｃｍ）と段数（段）については次の通りとされる。
【００２９】
履き口部２：２ｃｍ、６段
レッグ部３の後面側３Ｂ：１４．５ｃｍ、４０段
踵部４：８ｃｍ、２８段
足裏部６：１２ｃｍ、３４段
爪先部７の下半側７Ｂ：４ｃｍ、１２段
なお、踵部４の編み方は、上記したように、ガーター編みが好ましいが、伸縮性を発揮する編み方であればガーター編み以外の編み方であってもよい。
【００３０】
以上、本発明に係る靴下の編成方法の一実施形態について説明したが、本発明はこれに限定されるものではない。すなわち、上記の実施形態では、装着者の足の前側に対応する前側平編み地８と、後側に対応する後側平編み地９とを個々に編成しておいてから、これらを接ぎ合わせているが、履き口部２と、レッグ部３と、第二足甲部５２から足裏部６に亘る部分の３つの部位を輪編みで編成し、第一足甲部５１と踵部４とを上記の実施形態で示した方法で接ぎ合わせてもよい。この場合、平編みよりも輪編みに手馴れた技術者にとっては、迅速に編成することができる。
【００３１】
なお、本発明に係る靴下の実施形態は、上記した靴下の編成方法の実施形態と実質的に重複するので、ここでの説明は省略する。
【産業上の利用可能性】
【００３２】
本発明は、毛糸の靴下を編成する場合に使用することができる。
【符号の説明】
【００３３】
１  靴下
２  履き口部
２Ａ  履き口部の前面側
２Ｂ  履き口部の後面側
３  レッグ部
３Ａ  レッグ部の前面側
３Ｂ  レッグ部の後面側
４  踵部
５  足甲部
６  足裏部
７  爪先部
【図１】
2014055390.tif 000003
【図２】
2014055390.tif 000004
【図３】
2014055390.tif 000005
【図４】
2014055390.tif 000006